(57)【特許請求の範囲】
【請求項１】
燃料ガスと一次空気との混合ガスを生成する混合管と、該混合管に連設されて内側に混合ガスの分布室を形成する筒状のバーナボディと、該バーナボディ上に載置して外周に多数の主炎孔を形成するバーナヘッドと、前記炎孔に点火するための点火プラグとを備え、
前記バーナボディは、前記バーナヘッドを載置する環状の載置部と、前記点火プラグを収容して上端が開口された点火プラグ収容部とを備え、
前記バーナヘッドは、前記点火プラグ収容部に収容された点火プラグの上方を所定の空隙を存して覆う点火部を備え、
前記点火プラグ収容部は、前記バーナボディの周方向に対向する一対の第１側壁と、両第１側壁の奥端に連続する第１後壁とを備え、
前記点火部は、前記点火プラグ収容部の両第１側壁の外側面に当接して下方に延びる一対の第２側壁と、両第２側壁の奥端に連続して形成されて前記第１後壁の奥側面に対向して下方に延びる第２後壁とを備え、
前記点火プラグ収容部の上方を前記点火部が覆ったとき、前記点火部の下面と前記第１後壁の上端面とが当接して当該当接部に点火炎孔が形成されると共に、前記第１後壁と前記第２後壁との間に、前記分布室の混合ガスを前記点火炎孔に供給する点火用ガス案内路が形成されるコンロ用バーナにおいて、
前記点火プラグ収容部の上方を前記点火部が覆ったとき、前記点火炎孔と前記第２側壁の側面との間に、前記点火用ガス案内路から前記点火炎孔に向かう混合ガスの一部を用いて火移り用の火炎を形成する火移り炎孔が形成されると共に、前記火移り炎孔の火炎を、前記第１側壁の上端面と前記第２側壁の側面とで構成される前記点火部の上隅部に沿って前記バーナヘッドの径方向外側に導出する火移り火炎導出部が形成されることを特徴とするコンロ用バーナ。
【請求項２】
請求項１記載のコンロ用バーナにおいて、
火移り火炎導出部は、前記バーナヘッドの径方向外側に導出した火移り用の火炎を前記点火部に隣接する主炎孔に向けて案内する火移り火炎案内部を備えることを特徴とするコンロ用バーナ。
【発明の詳細な説明】
【技術分野】
【０００１】
本発明は、ガスコンロに用いられるコンロ用バーナに関する。
【背景技術】
【０００２】
この種のコンロ用バーナは、燃料ガスと一次空気との混合ガスを供給する混合管と、混合管に連設されて内部に分布室が形成されたバーナボディと、該バーナボディ上に載置されて外周に沿って主炎孔（本明細書では、形状や大きさが異なる複数の炎孔により構成される調理加熱用の火炎を形成するための炎孔を言う）及び点火炎孔を形成する環状のバーナヘッドと、前記点火炎孔の近傍に火花放電を発生させる点火プラグとを備えている。
【０００３】
そして、この種のコンロ用バーナにおいては、バーナボディの外周部の一部に点火プラグを収容したものが知られている（下記特許文献１参照）。点火プラグをバーナボディの一部に収容することにより、点火プラグの上方はバーナヘッドの一部に覆われる。更に、バーナボディにおける点火プラグを収容した部分の奥側には点火炎孔が形成される。
【０００４】
これにより、点火プラグがバーナボディの外側に配設されている場合に比べて、点火プラグや点火炎孔への煮こぼれ汁の付着を少なくすることができる。
【０００５】
ところで、主炎孔と点火炎孔は、何れもバーナヘッドの下面外周又はバーナヘッドの上面外周に形成された溝であり、バーナヘッドをバーナボディに載置したときに形成される。そして、点火炎孔は、主炎孔に比べて小さな点火用の火炎を形成するために、混合ガスを点火に最適な比較的少量に制限する形状とされている。
【先行技術文献】
【特許文献】
【０００６】
【特許文献１】特開平４−６４８０７号公報
【発明の概要】
【発明が解決しようとする課題】
【０００７】
この種のコンロ用バーナにおいては、バーナヘッドとバーナボディとの間に異物の噛み込みによる所謂バーナヘッドの浮き等が生じることがある。この場合に、従来のように、点火炎孔によって混合ガスを適量に制限する構成では、バーナヘッドの浮き等により点火炎孔の溝が僅かに開放されると、点火炎孔による混合ガスの制限が不十分となり点火用の火炎が大きく形成されてしまう。このため、点火プラグに対する過剰な炙りが生じて損傷するおそれがある。更に、点火のための混合ガスの供給量が過剰となると燃料ガスの消費量も増加して不経済である。
【０００８】
上記の点に鑑み、本発明は、バーナヘッドの浮き等の影響を殆ど受けることなく点火のための混合ガスの供給を最適に維持することができるコンロ用バーナを提供することを目的とする。
【課題を解決するための手段】
【０００９】
かかる目的を達成するために、本発明は、燃料ガスと一次空気との混合ガスを生成する混合管と、該混合管に連設されて内側に混合ガスの分布室を形成する筒状のバーナボディと、該バーナボディ上に載置して外周に多数の主炎孔を形成するバーナヘッドと、前記炎孔に点火するための点火プラグとを備え、前記バーナボディは、前記バーナヘッドを載置する環状の載置部と、前記点火プラグを収容して上端が開口された点火プラグ収容部とを備え、前記バーナヘッドは、前記点火プラグ収容部に収容された点火プラグの上方を所定の空隙を存して覆う点火部を備え、前記点火プラグ収容部は、前記バーナボディの周方向に対向する一対の第１側壁と、両第１側壁の奥端に連続する第１後壁とを備え、前記点火部は、前記点火プラグ収容部の両第１側壁の外側面に当接して下方に延びる一対の第２側壁と、両第２側壁の奥端に連続して形成されて前記第１後壁の奥側面に対向して下方に延びる第２後壁とを備え、前記点火プラグ収容部の上方を前記点火部が覆ったとき、前記点火部の下面と前記第１後壁の上端面とが当接して当該当接部に点火炎孔が形成されると共に、前記第１後壁と前記第２後壁との間に、前記分布室の混合ガスを前記点火炎孔に供給する点火用ガス案内路が形成されるコンロ用バーナにおいて、前記点火プラグ収容部の上方を前記点火部が覆ったとき、前記点火炎孔と前記第２側壁の側面との間に、前記点火用ガス案内路から前記点火炎孔に向かう混合ガスの一部を用いて火移り用の火炎を形成する火移り炎孔が形成されると共に、前記火移り炎孔の火炎を、前記第１側壁の上端面と前記第２側壁の側面とで構成される前記点火部の上隅部に沿って前記バーナヘッドの径方向外側に導出する火移り火炎導出部が形成されることを特徴とする。
【００１０】
本発明によれば、バーナヘッドの点火部が備える下方に延びる第２側壁及び第２後壁により、点火プラグ収容部の第１側壁及び第１後壁がその外側から包囲され、点火プラグ収容部の第１後壁と点火部の第２後壁との間に、混合ガスを点火炎孔に案内する点火用ガス案内路が形成される。これにより、分布室の混合ガスは、点火用ガス案内路を介してのみ点火炎孔に供給される。点火用ガス案内路は、第１後壁と第２後壁と間の間隔寸法による流路断面積を点火に最適な混合ガスの供給量に対応させておくことができる。
【００１１】
上記構成によって、万一バーナヘッドの浮き等が生じたときには、第２側壁及び第２後壁が第１側壁及び第１後壁を包囲した状態を維持して上方（バーナヘッドの軸線方向）に位置ずれするだけであり、点火部の内側には、点火用ガス案内路以外からの混合ガスの侵入が生じない。しかも、バーナヘッドの浮き等が生じても、第１後壁に対して第２後壁が上方向にスライドするだけであるため、第１後壁と第２後壁と間の間隔寸法による点火用ガス案内路の流路断面積が殆ど変化しない。従って、点火炎孔によって点火するために必要な最適な混合ガス量に制限する構成を採用した場合と異なり、バーナヘッドの浮き等の影響を殆ど受けることなく点火のための混合ガスの供給を最適に維持することができ、点火用の火炎による点火プラグの過剰な炙りや、燃料ガスの消費量の増加を防止することができる。
【００１２】
ところで、点火炎孔に確実に火炎が形成されるのであれば、前記点火用ガス案内路によって点火炎孔に供給する混合ガスの量を極めて少なく制限することができる。しかし、例えば、主炎孔の数が少ない小型のコンロ用バーナでは、混合管に供給される燃料ガスの量が全体的に少ない。このような小型のコンロ用バーナにおいて、混合ガスの量を点火用の火炎が形成される最小量に制限すると、点火炎孔で形成される火炎が極度に小さくなり、主炎孔への火移り性が低下することが考えられる。
【００１３】
そこで、本発明においては、前記点火プラグ収容部の上方を前記点火部が覆ったとき、前記点火炎孔と前記第２側壁の側面との間に、前記点火用ガス案内路から前記点火炎孔に向かう混合ガスの一部を用いて火移り用の火炎を形成する火移り炎孔が形成されると共に、前記火移り炎孔の火炎を、前記第１側壁の上端面と前記第２側壁の側面とで構成される前記点火部の上隅部に沿って前記バーナヘッドの径方向外側に導出する火移り火炎導出部が形成される構成とした。
【００１４】
本発明においては、点火部が点火プラグ収容部の上方を覆った状態で点火炎孔の側方には火移り炎孔が形成され、点火部の内側の上隅部には火移り火炎導出部が形成される。火移り炎孔は、点火部の内側に形成されていることによって点火炎孔が点火されると点火炎孔と共に火炎を形成する。このときに火移り炎孔に供給される混合ガスは、点火用ガス案内路から点火炎孔に向かう混合ガスの一部を分岐させたものであるため、点火のために供給される混合ガスの量は増加しない。
【００１５】
火移り炎孔で形成された火炎は、火移り火炎導出部を伝ってバーナヘッドの径方向外側に導出される。通常、火炎は壁面に沿って延びる性質がある。火移り火炎導出部は、第１側壁の上端面と第２側壁の側面とで構成されているので、火移り炎孔で形成された火炎を確実にバーナヘッドの外側に導出させることができる。そして、バーナヘッドの外側に導出された火移り用の火炎は点火部に隣接する主炎孔に火移りする。
【００１６】
このように、本発明によれば、点火炎孔に供給する混合ガス量を増加させることなく点火部から主炎孔への火移り性を向上させることができ、供給される燃料ガスの量が全体的に少ない小型のコンロ用バーナであっても円滑に火移りさせることができる。
【００１７】
更に、本発明においては、火移り火炎導出部に、前記バーナヘッドの径方向外側に導出した火移り用の火炎を前記点火部に隣接する主炎孔に向けて案内する火移り火炎案内部を設けることが好ましい。これによれば、火移り火炎導出部によってバーナヘッドの外側に導出された火移り用の火炎は、火移り火炎案内部を介して主炎孔に向けられるので、点火部から主炎孔への火移り性を一層向上させることができる。
【図面の簡単な説明】
【００１８】
【図１】本発明の実施形態のコンロ用バーナを示す側面図。
【図２】コンロ用バーナの要部断面図。
【図３】スペーサを示す斜視図。
【図４】バーナヘッドの底面を示す斜視図。
【図５】点火部の一部を破断して点火プラグ収容部を平面視した説明図。
【図６】点火部及び点火プラグ収容部の説明的断面図。
【図７】バーナヘッドの要部の正面図。
【発明を実施するための形態】
【００１９】
本発明の一実施形態を図面に基づいて説明する。本実施形態のコンロ用バーナは、図１に示すように、混合管１と、バーナボディ２と、バーナヘッド３と、バーナキャップ４とを備えている。
【００２０】
混合管１は、図示しないガスノズルから噴出する燃料ガスを一次空気と共に取り入れることにより燃料ガスと一次空気との混合ガスを生成する。
【００２１】
図２に示すように、混合管１の下流端には、バーナボディ２が連設されている。バーナボディ２は、金属製板材により形成された基体部５と、ダイカストにより形成されたスペーサ６とを備えている。スペーサ６の内部には点火プラグ７が設けられている。
【００２２】
バーナボディ２の基体部５は、外筒８と、外筒８の内側に設けられた内筒９とを備え、外筒８と内筒９との間に形成される環状の空間が混合管１に連通する混合ガス通路１０を構成している。
【００２３】
図２に示すように、基体部５の外筒８は、点火プラグ７が配置されている側が内筒９に接近する方向に偏心して設けられている。また、基体部５には、環状の底部隆起部１１が形成されている。内筒９は、その下端が底部隆起部１１の上端に連結されている。
【００２４】
スペーサ６は、図２及び図３に示すように、その底部１２に形成された連通用の開口である連結部１３に外筒８の上端を挿入した状態で基体部５に連結されている。スペーサ６は、その上端面にバーナヘッド３を載置する環状の載置部１４を備えている。
【００２５】
図１に示すように、スペーサ６は、コンロ本体（図示しない）の上面を閉塞する天板１５から露出する。天板１５には、バーナ用開口１６が形成されており、バーナ用開口１６とスペーサ６との間に形成される間隙を閉塞する環状の閉塞板１７が設けられている。また、閉塞板１７の外周の天板１５上には五徳１８が載置される。
【００２６】
スペーサ６はダイカストによって形成されているので、美観が高く、また、変形強度も高いことにより天板１５から露出させるのに好適である。
【００２７】
また、図２及び図３に示すように、スペーサ６の外周壁１９の内側には、点火プラグ７を収容する点火プラグ収容部２０が設けられている。点火プラグ収容部２０は、スペーサ６の外周壁１９の内面に沿って形成された縦長の空間であり、その上端が載置部１４の一部を横切るようにして開口されている。この開口は後述のプラグ用開口２６である。
【００２８】
図３に示すように、点火プラグ７は、その上端の電極側が点火プラグ収容部２０の奥側に傾く姿勢で点火プラグ収容部２０の内部に収容されている。これによって、点火プラグ７の上端から下端までの長さ寸法が比較的大きくても、点火プラグ７の高さ方向の寸法を抑えて点火プラグ収容部２０の内部に収容することができ、点火プラグ７の電極を点火プラグ収容部２０の上縁よりも低位置に収めることができる。
【００２９】
図２に示すように、点火プラグ収容部２０は、基体部５の外筒８を内筒９に対して偏心させることによって形成した比較的広いスペースに設けられる。点火プラグ７は、スペーサ６の外周壁１９の一部から下方に延びる支持片２１にねじ止めされることによってスペーサ６に取り付けられている。
【００３０】
なお、本実施形態においては、図３に示すように、スペーサ６の点火プラグ収容部２０に隣接する位置に熱電対２２が組み込まれている。熱電対２２は、図３に一部を示す支持部材２３を介してスペーサ６に支持されている。
【００３１】
点火プラグ収容部２０は、図２及び図３に示すように、載置部１４の周方向に所定間隔を存して互いに対向する一対の縦壁部２４（第１側壁）と、両縦壁部２４の奥側に連続する背面壁部２５（第１後壁）とを備え、その上端には、点火プラグ７の上方を開放するプラグ用開口２６が形成されている。また、プラグ用開口２６の奥側に位置する背面壁部２５の上端には平坦面２７が形成されており、プラグ用開口２６の外側（スペーサ６の径方向外側）には、スペーサ６の上面から上方に突出してプラグ用開口２６の外側周縁に沿って湾曲する形状の凸条２８が設けられている。
【００３２】
点火プラグ７が点火プラグ収容部２０に収容されていることにより、掃除等の際に図３に示すようにバーナヘッド３を取り外しても、点火プラグ７の上端にある電極が点火プラグ収容部２０のプラグ用開口２６から突出しない。これにより、掃除等の際に誤って点火プラグ７に接触することがなく、点火プラグ７の電極等の損傷を確実に防止できる。
【００３３】
また、点火プラグ収容部２０のプラグ用開口２６の外側周縁に沿って形成されている凸条２８は、スペーサ６の載置部１４の外側に流れてきた煮こぼれ汁を堰き止める。これにより、煮こぼれ汁が点火プラグ収容部２０に流れ込み難くなっている。
【００３４】
バーナヘッド３は、図４に示すように環状に形成され、その下面外周部に垂設された環状壁２９を備えている。環状壁２９には、大小多数の溝が形成されており、これらの溝により、図２に示すようにスペーサ６の載置部１４に当接したとき、バーナヘッド３の外周に沿って大小多数の調理用炎孔３０（主炎孔）が形成される。調理用炎孔３０は、夫々、形状や大きさが異なるものが火炎形成に好適な配列で設けられている。
【００３５】
バーナヘッド３の内周には、環状壁２９と同心の垂下筒３１が設けられている。図２に示すように、垂下筒３１は、バーナヘッド３をスペーサ６の載置部１４に載置したとき、バーナボディ２の基体部５の内筒９に挿着される。このとき、垂下筒３１と内筒９とによって、バーナボディ２とバーナヘッド３との中央部を上下に貫く空洞部分３２が形成される。そして、この空洞部分３２には、鍋底温度センサ３３が設けられる。バーナヘッド３の上部には環状のバーナキャップ４が設けられることにより、空洞部分３２への異物の侵入が防止される。
【００３６】
バーナヘッド３の垂下筒３１とスペーサ６の内面との間に形成される環状の空間は、混合ガス通路１０に連通する分布室３４を構成している。混合管１から混合ガス通路１０を経て分布室３４に入った混合ガスは、バーナヘッド３の周方向に分布して調理用炎孔３０から噴出する。
【００３７】
また、バーナヘッド３には、点火プラグ収容部２０に収容されている点火プラグ７の上方を覆う点火部３５が形成されている。更に、バーナヘッド３には、点火部３５から連続してバーナヘッド３の径方向外方に張り出す張出部３６が形成されている。
【００３８】
張出部３６は、図４に示すように、点火プラグ収容部２０の上方に対向する上壁４３と、上壁４３におけるバーナヘッド３の周方向両側縁から下方に延びる一対の側方垂下壁４４と、両側方垂下壁４４に連続して上壁４３の張り出し方向先端縁から下方に延びる前方垂下壁４５とを備えている。点火プラグ収容部２０の上方が張出部３６により覆われることで、点火部３５の内側や点火プラグ収容部２０の内部への煮こぼれ汁の侵入が確実に防止される。
【００３９】
点火部３５は、図２及び図４に示すように、その裏面に点火プラグ収容部２０の背面壁部２５の上端に形成された平坦面２７に当接する当接面３７（当接部）と、当接面３７の両側から下方に延びる一対の側壁部３８（第２側壁）とを備えている。また、点火部３５の両側壁部３８は、その奥端縁が垂下筒３１から連続しており、両側壁部３８の間に位置する垂下筒３１の一部の面が点火部３５の後壁部３９（第２後壁）とされている。
【００４０】
バーナヘッド３をスペーサ６の載置部１４に載置したとき、図５に示すように、点火部３５の両側壁部３８は、夫々、点火プラグ収容部２０の両縦壁部２４の外側に気密に当接し、点火部３５の後壁部３９は空隙を存して点火プラグ収容部２０の背面壁部２５に対向する。
【００４１】
更に、図４に示すように、点火部３５の当接面３７には点火炎孔４０となる複数の溝と、火移り炎孔４６となる一対の溝と、下方に突出する突起による放電用ターゲット４１とが形成されている。
【００４２】
図６に示すように、当接面３７が点火プラグ収容部２０の平坦面２７に当接すると、点火炎孔４０及び火移り炎孔４６が当接面３７上に形成される。火移り炎孔４６は、点火炎孔４０と側壁部３８の内側面３８ａとの間に形成される。
【００４３】
そして、図２及び図５に示すように、点火部３５の後壁部３９と点火プラグ収容部２０の背面壁部２５との間の空隙により、分布室３４の混合ガスを点火炎孔４０と火移り炎孔４６とに供給する点火用ガス案内路４２が形成される。点火用ガス案内路４２は、点火部３５の後壁部３９と点火プラグ収容部２０の背面壁部２５との間の間隔寸法による流路断面積が、点火に最適な混合ガスの供給量に対応している。
【００４４】
点火プラグ収容部２０の縦壁部２４の外側には点火部３５の側壁部３８が気密に当接していることにより、分布室３４の混合ガスは、点火用ガス案内路４２を介してのみ点火炎孔４０に供給される。
【００４５】
そして、万一、バーナヘッド３の浮き（バーナボディ２との間に僅かに隙間ができた状態）が生じた場合、点火プラグ収容部２０縦壁部２４と点火部３５の側壁部３８との当接状態が維持されるので、点火用ガス案内路４２以外からの混合ガスの侵入が生じない。しかも、バーナヘッド３の浮きが生じても、点火プラグ収容部２０の背面壁部２５に対して点火部３５の後壁部３９が高さ方向にずれるだけであるので、点火用ガス案内路４２の流路断面積は殆ど変化しない。これにより、バーナヘッド３の浮きの影響を殆ど受けることなく点火のための混合ガスの供給を最適に維持することができ、点火炎孔４０からの火炎による点火プラグ７の過剰な炙りや、燃料ガスの消費量の増加を防止することができる。
【００４６】
また、図６に一部を示すように、火移り炎孔４６からの混合ガスの吹き出し方向に沿った点火部３５の上隅部には、点火部３５の内側天面と、点火プラグ収容部２０の縦壁部２４の上端面２４ａと、点火部３５の側壁部３８の内側面３８ａとによる火移り火炎導出部４７が形成される。火移り火炎導出部４７は、火移り炎孔４６の火炎をバーナヘッド３の径方向外側に導出する。
【００４７】
更に、図７に示すように、点火部３５と調理用炎孔３０との間には、点火部３５の側壁部３８の外側端部を切欠くことにより火移り火炎案内部４８が形成されている。
【００４８】
火移り炎孔４６は、点火炎孔４０への点火によって点火炎孔４０と共に火炎を形成する。このとき火移り炎孔４６には、点火用ガス案内路４２から点火炎孔４０に向かう混合ガスの一部が供給される。従って、火移り炎孔４６が設けられていても、点火のために点火用ガス案内路４２を通って供給される混合ガスの量は増加しない。
【００４９】
火移り炎孔４６での火炎は、火移り火炎導出部４７により案内されてバーナヘッド３の径方向外側に向かう。このとき、火移り火炎導出部４７が、点火部３５の内側天面と、点火プラグ収容部２０の縦壁部２４の上端面２４ａと、点火部３５の側壁部３８の内側面３８ａとで構成されていることにより、壁面を伝って延びる火炎の性質を利用することができ、火移り用の火炎をバーナヘッド３の外側に円滑に導出することができる。
【００５０】
バーナヘッド３の外側に導出された火炎は、更に、火移り火炎案内部４８によって調理用炎孔３０に向かって案内される。これによって、調理用炎孔３０から噴出する混合ガスに確実に火移りさせることができ、火移り性が一層向上する。
【００５１】
また、点火部３５に火移り火炎導出部４７が形成されていることにより、点火炎孔４０で形成される火炎を小さく抑えても確実に火移り用の火炎をバーナヘッド３の外側に確実に導出することができる。これにより、点火炎孔４０の火炎を大きく形成する必要がないので、点火プラグ７の過剰な炙りを防止することができると共に、点火のために使用する燃料ガスの量も少なくすることができる。そして、本実施形態の点火部３５の構成は、点火のために使用する燃料ガスの量が少なくても良好な火移り性が得られるので、例えば、供給される燃料ガスの量が全体的に少ない小型のコンロ用バーナに好適に採用することができる。
【符号の説明】
【００５２】
１…混合管、２…バーナボディ、３…バーナヘッド、７…点火プラグ、１４…載置部、２０…点火プラグ収容部、２４…縦壁部（第１側壁）、２５…背面壁部（第１後壁）、３０…調理用炎孔（主炎孔）、３４…分布室、３５…点火部、３７…当接面（当接部）、３８…側壁部（第２側壁）、３９…後壁部（第２後壁）、４０…点火炎孔、４２…点火用ガス案内路、４６…火移り炎孔、４７…火移り火炎導出部、４８…火移り火炎案内部。
【図１】
0005980255.tif 000002
【図２】
0005980255.tif 000003
【図３】
0005980255.tif 000004
【図４】
0005980255.tif 000005
【図５】
0005980255.tif 000006
【図６】
0005980255.tif 000007
【図７】
0005980255.tif 000008